(57)【特許請求の範囲】
【請求項１】
上下に積み重ねられたカット紙群の最下端に搬送ベルトを回転接触させて、前記カット紙群から最下端のカット紙を順次、カット紙送給方向の前方に抜き出して送給するカット紙送給装置において、
前記カット紙群の下方に配置され、前記カット紙群の最下端における前記カット紙送給方向の中間位置より後側部分を前記搬送ベルトから浮かせかつ、前記中間位置より前側部分を前記搬送ベルトに回転接触可能に支持するベルト接触量調整部材と、
前記ベルト接触量調整部材の上面のうち前記搬送ベルトの前記カット紙との回転接触面より上側に位置する部分の前端部に形成されて、前下がりに傾斜した引き渡し傾斜面と、
前記カット紙群の後端部の下方に配置されて、前記ベルト接触量調整部材より上方に突出すると共に、前下がりに傾斜したガイド面を有し、前記カット紙群に含まれる複数の前記カット紙を前記ガイド面に沿わせて前記カット紙送給方向でずらすための傾斜ガイド部材と、
前記傾斜ガイド部材を前記カット紙送給方向の任意の位置に移動して固定可能な傾斜ガイド部材可変支持機構と
前記ベルト接触量調整部材を前記傾斜ガイド部材とは別個に前記カット紙送給方向の任意の位置に移動して固定可能なベルト接触量調整機構とを備えたことを特徴とするカット紙送給装置。
【請求項２】
前記ベルト接触量調整部材の上面のうち前記引き渡し傾斜面より後側部分に形成されて、前記引き渡し傾斜面より水平面との間の傾斜角が小さいカット紙メイン支持面を備えたことを特徴とする請求項１に記載のカット紙送給装置。
【請求項３】
上下に積み重ねられたカット紙群の最下端に搬送ベルトを回転接触させて、前記カット紙群から最下端のカット紙を順次、カット紙送給方向の前方に抜き出して送給するカット紙送給装置において、
前記カット紙群の下方に配置され、前記カット紙群の最下端における前記カット紙送給方向の中間位置より後側部分を前記搬送ベルトから浮かせかつ、前記中間位置より前側部分を前記搬送ベルトに回転接触可能に支持し、前記カット紙群と接触する部分全体が前下がりに傾斜した平坦面になっているベルト接触量調整部材と、
前記カット紙群の後端部の下方に配置されて、前記ベルト接触量調整部材より上方に突出すると共に、前下がりに傾斜したガイド面を有し、前記カット紙群に含まれる複数の前記カット紙を前記ガイド面に沿わせて前記カット紙送給方向でずらすための傾斜ガイド部材と、
前記傾斜ガイド部材を前記カット紙送給方向の任意の位置に移動して固定可能な傾斜ガイド部材可変支持機構と、
前記ベルト接触量調整部材を前記傾斜ガイド部材とは別個に前記カット紙送給方向の任意の位置に移動して固定可能なベルト接触量調整機構とを備えたことを特徴とするカット紙送給装置。
【請求項４】
前記ベルト接触量調整部材に設けられて、前記搬送ベルトの側方に配置されると共に、前端部の上面が前記搬送ベルトのうち前記カット紙との回転接触面より下側に位置する一方、後端部の上面が前記回転接触面より上側に位置するように傾斜した引き渡し突片と、
１対の前記搬送ベルトの間に前記引き渡し突片を配置するか、１対の前記引き渡し突片の間に前記搬送ベルトを配置してなる引き渡し部とを備えたことを特徴とする請求項１乃至３の何れか１の請求項に記載のカット紙送給装置。
【請求項５】
前記搬送ベルトを上方から覆うカバー部を有し、前記カバー部の前端から前記引き渡し突片が突出した前記ベルト接触量調整部材を備えたことを特徴とする請求項４に記載のカット紙送給装置。
【請求項６】
前記ベルト接触量調整部材を前記カット紙送給方向で直動可能に支持する第１ガイドと、前記第１ガイドに沿った任意の位置で前記ベルト接触量調整部材を固定可能な第１固定部とで構成された前記ベルト接触量調整機構を備えたことを特徴とする請求項１乃至５のうち何れか１の請求項に記載のカット紙送給装置。
【請求項７】
前記第１ガイドの長手方向に沿って複数形成された第１係止部と、前記ベルト接触量調整部材に設けられて、任意の前記第１係止部に係止した第１係止位置と前記第１係止部との係止が解除された第１解除位置との間を往復動可能な第１係止爪と、前記第１係止爪を前記第１係止位置に保持する第１バネとで構成された前記第１固定部を備えたことを特徴とする請求項６に記載のカット紙送給装置。
【請求項８】
前記傾斜ガイド部材を前記カット紙送給方向で直動可能に支持する第２ガイドと、前記第２ガイドに沿った任意の位置で前記傾斜ガイド部材を固定可能な第２固定部とで構成された前記傾斜ガイド部材可変支持機構を備えたことを特徴とする請求項１乃至７のうち何れか１の請求項に記載のカット紙送給装置。
【請求項９】
前記第２ガイドの長手方向に沿って複数形成された第２係止部と、前記傾斜ガイド部材に設けられて、任意の前記第２係止部に係止した第２係止位置と前記第２係止部との係止が解除された第２解除位置との間を往復動可能な第２係止爪と、前記第２係止爪を前記第２係止位置に保持する第２バネとで構成された前記第２固定部を備えたことを特徴とする請求項８に記載のカット紙送給装置。
【発明の詳細な説明】
【技術分野】
【０００１】
本発明は、上下に重ねられたカット紙群からカット紙を順次抜き出して送給するカット紙送給装置に関する。
【背景技術】
【０００２】
従来、この種のカット紙送給装置として、前傾した上面を有する傾斜ガイド部材によってカット紙群の後端部を持ち上げながらカット紙群の下端に搬送ベルトを回転接触させるものが知られている（例えば、特許文献１）。
【先行技術文献】
【特許文献】
【０００３】
【特許文献１】特開２０１０−１６８２０１号公報（図１）
【発明の概要】
【発明が解決しようとする課題】
【０００４】
しかしながら、上述した従来のカット紙送給装置は、カット紙群から先に抜き出したカット紙の後端部に次のカット紙の前端部が重なった状態で送給される、所謂、部分重送の不具合が生じ易いという問題があった。
【０００５】
本発明は、上記事情に鑑みてなされたもので、部分重送の発生を従来より低減可能なカット紙送給装置の提供を目的とする。
【課題を解決するための手段】
【０００６】
本願発明者は、従来は解明されていなかった部分重送のメカニズムを以下のように解明した。即ち、カット紙群における最下端のカット紙（以下、「第１のカット紙」という）が搬送ベルトによって引き抜かれていくと、第１のカット紙の次のカット紙（以下、「第２のカット紙」という）と搬送ベルトとの接触面積が増していき、第２のカット紙が搬送ベルトから受ける動摩擦力も増していく。そして、第１のカット紙が完全に引き抜かれるよりも前に、第２のカット紙と搬送ベルトとの間に作用する動摩擦力が、第２のカット紙の次のカット紙と第２のカット紙との間に作用する静止摩擦力よりも大きくなると、部分重送が発生する。従って、第１のカット紙が完全に引き抜かれたときに、第２のカット紙と搬送ベルトとの間に作用する動摩擦力が、第２のカット紙の次のカット紙と第２のカット紙との間に作用する静止摩擦力よりも大きくなるように第２のカット紙と搬送ベルトとの接触面積が設定されていれば、第１のカット紙が完全に引き出されるよりも前に第２のカット紙の送給が開始されてカット紙の一部が重なって搬送される、所謂、部分重送を防ぐことができる。
【０００７】
そこで、本願発明者は、傾斜ガイド部材とは別個に前後に移動可能な部材によってカット紙と搬送ベルトとの接触面積を調整することで、部分重送の発生を低減でき、部分重送が発生した場合にも容易に部分重送を解消することができるという見知を得て、以下、請求項１〜９の発明を完成するに至った。
【０００８】
即ち、請求項１の発明に係るカット紙送給装置は、上下に積み重ねられたカット紙群の最下端に搬送ベルトを回転接触させて、カット紙群から最下端のカット紙を順次、カット紙送給方向の前方に抜き出して送給するカット紙送給装置において、カット紙群の下方に配置され、カット紙群の最下端におけるカット紙送給方向の中間位置より後側部分を搬送ベルトから浮かせかつ、中間位置より前側部分を搬送ベルトに回転接触可能に支持するベルト接触量調整部材と、ベルト接触量調整部材の上面のうち搬送ベルトのカット紙との回転接触面より上側に位置する部分の前端部に形成されて、前下がりに傾斜した引き渡し傾斜面と、カット紙群の後端部の下方に配置されて、ベルト接触量調整部材より上方に突出すると共に、前下がりに傾斜したガイド面を有し、カット紙群に含まれる複数のカット紙をガイド面に沿わせてカット紙送給方向でずらすための傾斜ガイド部材と、傾斜ガイド部材をカット紙送給方向の任意の位置に移動して固定可能な傾斜ガイド部材可変支持機構と、ベルト接触量調整部材を傾斜ガイド部材とは別個にカット紙送給方向の任意の位置に移動して固定可能なベルト接触量調整機構とを備えたところに特徴を有する。
【００１０】
請求項２の発明は、請求項１に記載のカット紙送給装置において、ベルト接触量調整部材の上面のうち引き渡し傾斜面より後側部分に形成されて、引き渡し傾斜面より水平面との間の傾斜角が小さいカット紙メイン支持面を備えたところに特徴を有する。
【００１１】
請求項３の発明に係るカット紙送給装置は、上下に積み重ねられたカット紙群の最下端に搬送ベルトを回転接触させて、カット紙群から最下端のカット紙を順次、カット紙送給方向の前方に抜き出して送給するカット紙送給装置において、カット紙群の下方に配置され、カット紙群の最下端におけるカット紙送給方向の中間位置より後側部分を搬送ベルトから浮かせかつ、中間位置より前側部分を搬送ベルトに回転接触可能に支持し、カット紙群と接触する部分全体が前下がりに傾斜した平坦面になっているベルト接触量調整部材と、カット紙群の後端部の下方に配置されて、ベルト接触量調整部材より上方に突出すると共に、前下がりに傾斜したガイド面を有し、カット紙群に含まれる複数のカット紙をガイド面に沿わせてカット紙送給方向でずらすための傾斜ガイド部材と、傾斜ガイド部材をカット紙送給方向の任意の位置に移動して固定可能な傾斜ガイド部材可変支持機構と、ベルト接触量調整部材を傾斜ガイド部材とは別個にカット紙送給方向の任意の位置に移動して固定可能なベルト接触量調整機構とを備えたところに特徴を有する。
【００１２】
請求項４の発明は、請求項１乃至３のうち何れか１の請求項に記載のカット紙送給装置において、ベルト接触量調整部材に設けられて、搬送ベルトの側方に配置されると共に、前端部の上面が搬送ベルトのうちカット紙との回転接触面より下側に位置する一方、後端部の上面が回転接触面より上側に位置するように傾斜した引き渡し突片と、１対の搬送ベルトの間に引き渡し突片を配置するか、１対の引き渡し突片の間に搬送ベルトを配置してなる引き渡し部とを備えたところに特徴を有する。
【００１３】
請求項５の発明は、請求項４に記載のカット紙送給装置において、搬送ベルトを上方から覆うカバー部を有し、カバー部の前端から引き渡し突片が突出したベルト接触量調整部材を備えたところに特徴を有する。
【００１４】
請求項６の発明は、請求項１乃至５のうち何れか１の請求項に記載のカット紙送給装置において、ベルト接触量調整部材をカット紙送給方向で直動可能に支持する第１ガイドと、第１ガイドに沿った任意の位置でベルト接触量調整部材を固定可能な第１固定部とで構成されたベルト接触量調整機構を備えたところに特徴を有する。
【００１５】
請求項７の発明は、請求項６に記載のカット紙送給装置において、第１ガイドの長手方向に沿って複数形成された第１係止部と、ベルト接触量調整部材に設けられて、任意の第１係止部に係止した第１係止位置と第１係止部との係合が解除された第１解除位置との間を往復動可能な第１係止爪と、第１係止爪を第１係止位置に保持する第１バネで構成された第１固定部を備えたところに特徴を有する。
【００１６】
請求項８の発明は、請求項１乃至７のうち何れか１の請求項に記載のカット紙送給装置において、傾斜ガイド部材をカット紙送給方向で直動可能に支持する第２ガイドと、第２ガイドに沿った任意の位置で傾斜ガイド部材を固定可能な第２固定部とで構成された傾斜ガイド部材可変支持機構を備えたところに特徴を有する。
【００１７】
請求項９の発明は、請求項８に記載のカット紙送給装置において、第２ガイドの長手方向に沿って複数形成された第２係止部と、傾斜ガイド部材に設けられて、任意の第２係止部に係止した第２係止位置と、第２係止部との係止が解除された第２解除位置との間を往復動可能な第２係止爪と、第２係止爪を第２係止位置に保持する第２バネで構成された第２固定部を備えたところに特徴を有する。
【発明の効果】
【００１８】
請求項１，３の発明に係るカット紙送給装置は、カット紙群の最下端におけるカット紙送給方向の中間位置より後側部分を搬送ベルトから浮かせ、中間位置より前側部分を搬送ベルトに回転接触可能に支持するベルト接触量調整部材を備えている。そして、ベルト接触量調整機構により、カット紙送給方向におけるベルト接触量調整部材の位置を変更して搬送ベルトとカット紙群との接触面積を調整することができる。これにより、部分重送の発生を従来より低減させることができる。また、傾斜ガイド部材によってカット紙群の下端部をガイド面に沿って前方にずれるようにばらけさせて、部分重送の発生低減を補助することができる。しかも、傾斜ガイド部材は、カット紙送給方向の位置を変更可能となっているので、カット紙のサイズ変更に対応することができる。さらに、本発明では、ベルト接触量調整部材と傾斜ガイド部材とが別個に位置変更可能であるので、カット紙のサイズに応じた位置に傾斜ガイド部材を固定したまま、カット紙群と搬送ベルトとの接触面積を変更することが可能になる。
【００１９】
ここで、ベルト接触量調整部材は、請求項１の発明のように、ベルト接触量調整部材の上面のうち搬送ベルトのカット紙との回転接触面より上側に位置する部分の前端部に、前下がりに傾斜した引き渡し傾斜面が形成された構成であってもよいし、引き渡し傾斜面より後側部分の上面が引き渡し傾斜面と面一である、即ち、請求項３の発明のように、ベルト接触量調整部材の上面のうちカット紙群と接触する部分全体が前下がりに傾斜した構成であってもよい。請求項１,  ３の発明の構成によれば、カット紙群からカット紙を抜き出すときに、ベルト接触量調整部材によって支持されていたカット紙の後側部分を、搬送ベルトにスムーズに引き渡すことが可能になる。
【００２０】
また、請求項１の発明において、ベルト接触量調整部材は、引き渡し傾斜面より後側部分の上面が、引き渡し傾斜面より水平面との間の傾斜角が小さくなっていてもよい（請求項２の発明）。本構成によれば、ベルト接触量調整部材によってカット紙群を安定して支持することができる。
【００２１】
また、請求項４の発明のように、前端部の上面が搬送ベルトのうちカット紙との回転接触面より下側に位置する一方、後端部の上面が回転接触面より上側に位置するように傾斜した引き渡し突片を備えた構成とすることにより、カット紙の引き渡し部分で、引き渡し突片の上面と搬送ベルトの回転接触面との間の段差がなくなり、カット紙に折り目が付くことが抑えられる。なお、搬送ベルトを１対だけ備えて、それら１対の搬送ベルトの間に引き渡し突片を配置してなる構成、又は、引き渡し突片を１対だけ備えて、それら１対の引き渡し突片の間に搬送ベルトを配置した構成には、搬送ベルトと引き渡し突片を複数備えて、それらを交互に配置した構成が含まれる。
【００２２】
また、ベルト接触量調整部材は、間隔をあけて横並びに配置された複数の帯板部材を連結してなる構成であってもよいし、請求項５の発明のように、搬送ベルトを上方から覆うカバー部を有し、カバー部の前端から引き渡し突片が突出した構成であってもよい。請求項５の発明によれば、ベルト接触量調整部材によるカット紙群の支持の安定化が図られる。
【００２３】
ベルト接触量調整機構は、ベルト接触量調整部材を支持するベース部材とベルト接触量調整部材とを結合する磁石で構成されてもよいし、ベルト接触量調整部材とベース部材とを挟持するクランプで構成されてもよいし。また、請求項６の発明のように、ベルト接触量調整部材をカット紙送給方向で直動可能に支持する第１ガイドと、第１ガイドに沿った任意の位置でベルト接触量調整部材を固定可能な第１固定部とで構成されてもよい。具体的には、第１ガイドをラックとし、第１固定部をピニオンとしたラックアンドピニオン機構により、ベルト接触量調整機構を構成してもよいし、第１ガイドをボール螺子とし、第１固定部をボールナットとしたボール螺子機構により、ベルト接触量調整機構を構成してもよい。また、請求項７の発明のように、第１ガイドの長手方向に沿って複数形成された第１係止部と、ベルト接触量調整部材に備えられて、第１係止部と係止した第１係合位置と第１係止部との係合が解除された第１解除位置との間を往復動可能な第１係止爪と、第１係止爪を第１係止位置に保持する第１バネとで第１固定部を構成してもよい。なお、請求項６の発明によれば、カット紙送給方向におけるベルト接触量調整部材の直動の安定化が図られる。
【００２４】
傾斜ガイド部材可変支持機構についても、ベルト接触量調整機構と同様の構成をとることができる（請求項８，９の発明）。なお、請求項８の発明によれば、カット紙送給方向における傾斜ガイド部材の直動の安定化が図られる。
【図面の簡単な説明】
【００２５】
【図１】第１実施形態に係るカット紙送給装置の後方斜視図
【図２】搬送ベルト及びカット紙群の側断面図
【図３】ベルト接触量調整部材の平面図
【図４】カット紙群周辺の側断面図
【図５Ａ】カット紙送給装置の動作を説明するための側断面図
【図５Ｂ】カット紙送給装置の動作を説明するための側断面図
【図５Ｃ】カット紙送給装置の動作を説明するための側断面図
【図５Ｄ】カット紙送給装置の動作を説明するための側断面図
【図６】ベルト接触量調整部材及び傾斜ガイド部材の側断面図
【図７】第２実施形態に係るカット紙送給装置の後方斜視図
【図８】第２実施形態に係るベルト接触量調整部材の平面図
【図９】第２実施形態に係るベルト接触量調整部材及び傾斜ガイド部材の側断面図
【図１０】第２実施形態に係るカット紙群周辺の側断面図
【図１１】第３実施形態に係るカット紙送給装置の後方斜視図
【図１２】第３実施形態に係るベルト接触量調整部材の平面図
【図１３】第３実施形態に係るカット紙群周辺の側断面図
【図１４】第４実施形態に係るベルト接触量調整部材の側断面図
【図１５Ａ】変形例に係るベルト接触量調整部材の側断面図
【図１５Ｂ】変形例に係るベルト接触量調整部材の側断面図
【図１５Ｃ】変形例に係るベルト接触量調整部材の側断面図
【図１６】変形例に係るベルト接触量調整機構の平面図
【図１７】変形例に係るベルト接触量調整機構の側断面図
【図１８Ａ】変形例に係るベルト接触量調整部材及び傾斜ガイド部材の後方斜視図
【図１８Ｂ】変形例に係るベルト接触量調整機構の側断面図
【図１９】変形例に係るベルト接触量調整部材及び傾斜ガイド部材の後方斜視図
【図２０】変形例に係るベルト接触量調整機構の平面図
【図２１】変形例に係るベルト接触量調整部材及び傾斜ガイド部材の側断面図
【発明を実施するための形態】
【００２６】
［第１実施形態］
以下、本発明の第１実施形態を図１〜図６に基づいて説明する。図１に示すように、本発明に係るカット紙送給装置１０は、ベースフレーム９０に、種々の部品を組み付けてなる。ベースフレーム９０は、全体がボックス状をなし、水平方向で対向したサイドプレート９２，９２と、サイドプレート９２の後端部を連結した上面プレート９３とを備えている。なお、上面プレート９３は水平面と平行になっている。
【００２７】
サイドプレート９２，９２のうち、前後方向のほぼ中央位置には、サイド壁９４Ｓ，９４Ｓが起立し、それらサイド壁９４Ｓ，９４Ｓに挟まれた位置には、部品取付部９４が備えられている。部品取付部９４の後側には、カット紙Ｓを複数上下に重ねてなるカット紙群Ｇを載置可能なストック部７０が備えられている（図２参照）。なお、本明細書で用いる図面では、カット紙Ｓの厚さ、カット紙群Ｇにおけるカット紙Ｓ同士の間隔が誇張して示されている。
【００２８】
図２に示すように、ストック部７０は、部品取付部９４の後面に宛がわれた前端壁７１を有している。前端壁７１は上面プレート９３に対して略直角であると共に、下端部分が前方に向かって迫り出しており、その前端壁７１の下端縁と後述するベルト搬送部６０との間には、カット紙Ｓが通過可能なカット紙排出口７２が形成されている。
【００２９】
ストック部７０の後方には、傾斜ガイド部材７３が備えられている。傾斜ガイド部材７３は、ベースフレーム９０の幅方向（サイドプレート９２，９２の対向方向）に並んだ複数の三角板７４と、それら三角板７４を上面プレート９３に対して固定するための取付板７５（図１参照）とを一体に備えてなる。三角板７４は、側方からみた形状が、前下がりに傾斜した斜辺を有する直角三角形状をなし、斜面がストック部７０に載置されたカット紙群Ｇのうち下端側に位置する複数のカット紙Ｓの後端縁と当接する。これにより、上下に積み重ねられたカット紙Ｓのうち下側のカット紙Ｓが上側のカット紙Ｓに対して前方にずらされる。なお、三角板７４の斜面が、本発明のガイド面７３Ｍになっている。
【００３０】
図６に示すように、取付板７５には、前後方向に延びた第２ガイド長孔７５Ａが貫通形成されている。また、同図に示すように、上面プレート９３にも、前後方向に延びたベース長孔９３Ａが貫通形成されている。そして、第２ガイド長孔７５Ａとベース長孔９３Ａを重ねた状態で、第２ガイド長孔７５Ａ及びベース長孔９３Ａを貫通したボルトＢをナットＮで締め付けることにより、傾斜ガイド部材７３が上面プレート９３に固定されている。傾斜ガイド部材７３は、ボルトＢを緩めることで、第２ガイド長孔７５Ａ及びベース長孔９３Ａに沿って前後方向の位置を変更可能になっていて、カット紙Ｓの寸法に応じて、傾斜ガイド部材７３の位置を前後方向で選択的に調節することが可能となっている。
【００３１】
図２に示すように、ストック部７０の下方には、ストック部７０に載置された複数のカット紙Ｓを下端側から順次前方に抜き出してスライド送給するためのベルト搬送部６０が備えられている。具体的には、ストック部７０の真下位置に配置された後側プーリ６１とストック部７０より前方位置に配置された前側プーリ６２との間に搬送ベルト６３が架け渡され、これと同様な搬送ベルト６３が、ベースフレーム９０の幅方向で複数、互いに平行に備えられている。
【００３２】
詳細には、ベースフレーム９０における１対のサイドプレート９２，９２間には、互いに平行かつ水平な後側シャフト６４と前側シャフト６５とが差し渡されている。後側シャフト６４及び前側シャフト６５は、その両端部がベアリング（図示せず）を介してサイドプレート９２，９２に軸支されている。後側シャフト６４には複数の後側プーリ６１が互いに間隔を空けて軸支され、前側シャフト６５には後側プーリ６１と同数の前側プーリ６２が互いに間隔を空けて軸支されている。そして、前後方向で並んだ後側プーリ６１と前側プーリ６２との間に、それぞれ搬送ベルト６３が架け渡されている。
【００３３】
搬送ベルト６３は、ストック部７０に載置されたカット紙群Ｇのうち最下部のカット紙Ｓの下面と摩擦接触することで、その最下部のカット紙Ｓを、ストック部７０のカット紙排出口７２から抜き出し、前方にスライド送給するようになっている。なお、搬送ベルト６３は、上側を向いた面がカット紙Ｓとの回転接触面６３Ｍになっていて、この回転接触面６３Ｍは、上面プレート９３と平行となるように設けられている。
【００３４】
搬送ベルト６３は、上面プレート９３の下方に配置されたサーボモータ６６を駆動源としている。即ち、サーボモータ６６のロータに連結された出力シャフト（図示せず）には、出力プーリ６６Ｐが固定されており、前側シャフト６５のうち、一方のサイドプレート９２を貫通した一端部には、駆動プーリ６５Ｐが固定されている。そして、出力プーリ６６Ｐと駆動プーリ６５Ｐとの間にタイミングベルト６７が架け渡されている。なお、タイミングベルト６７のテンションは、図示しないテンションローラによって調整可能になっている。
【００３５】
ストック部７０のカット紙排出口７２から前方に離れた位置には、重送規制部材３０が備えられている。その重送規制部材３０は、部品取付部９４の前端部に取り付けられた支持部材３１によって上下動可能に支持されていると共に、図示しない圧縮コイルバネによって下方に付勢されている。そして、搬送ベルト６３の回転によってストック部７０から抜き出されたカット紙Ｓが、重送規制部材３０を押し上げて、重送規制部材３０と搬送ベルト６３との間を通過するようになっている。
【００３６】
重送規制部材３０より前側の部分には、カット紙排出口７２から排出されたカット紙Ｓをさらに前方へ送給するための下流ベルト搬送部８０が備えられている。下流搬送ベルト部８０は、ベルト搬送部６０と同様の構成をなし、後側下流プーリ８１と前側下流プーリ８２との間に下流搬送ベルト８３が架け渡され、これと同様な下流搬送ベルト８３が、ベースフレーム９０の幅方向で複数、互いに平行に備えられている（図２参照）。なお、下流搬送ベルト８３の上面は、搬送ベルト６３の回転接触面６３Ｍと面一となるように設けられている。
【００３７】
サイドプレート９２，９２の間には、互いに平行かつ水平な後側下流シャフト８４と前側下流シャフト８５とが軸支され、それら前側下流シャフト８５，後側下流シャフト８４には、複数の前側下流プーリ８１、後側下流プーリ８１が互いに間隔を空けて軸支されている。そして、前後方向で並んだ後側下流プーリ８１と前側下流プーリ８２との間に、それぞれ下流搬送ベルト８３が架け渡されている。
【００３８】
後側下流シャフト８４は、上述したベルト搬送部６０の前側シャフト６５と連結している。具体的には、後側下流シャフト８４に軸支された下流連結プーリ８６と、前側シャフト６５に軸支された連結プーリ６９との間に、連結ベルト８７が掛け渡されている。これにより、下流搬送ベルト８３は、サーボモータ６６から駆動力を受けて回転するようになっている。
【００３９】
ここで、連結プーリ６９及び下流連結プーリ８６は、軸方向の一端側（図２の下側）で同径になっていて、連結プーリ６９及び下流連結プーリ８６の一端側に連結ベルト８７が掛け渡されると、下流搬送ベルト８３の搬送速度は、搬送ベルト６３との搬送速度と同じになる。また、連結プーリ６９の軸方向の他端側（図２の上側）は、一端側より大径になっていて、下流連結プーリ８６の軸方向の他端側は、一端側より小径になっている。そして、連結プーリ６９及び下流連結プーリ８６の他端側に連結ベルト８７が掛け渡されると（図２には、この状態が示されている）、下流搬送ベルト８３の搬送速度は、搬送ベルト６３の搬送速度より大きくなる。
【００４０】
下流搬送ベルト８５は、ストック部７０のカット紙排出口７２から排出されたカット紙Ｓの下面と摩擦接触することで、その排出されたカット紙Ｓをさらに前方へ送給するようになっている。
【００４１】
また、下流ベルト搬送部８０の上方には、複数の押えローラ８８が回転可能に軸支され、各押えローラ８８によって、下流搬送ベルト８３が搬送するカット紙Ｓを上方から押えるようになっている。
【００４２】
さて、本実施形態のカット紙送給装置１０は、上面プレート９３の上に、前後方向でスライド可能なベルト接触量調整部材２０を備えている。そして、ベルト接触量調整部材２０が、カット紙群Ｇの最下端の後側部分を搬送ベルト６３から浮かし、カット紙群Ｇの最下端の前側部分を搬送ベルト６３と回転接触可能に支持している。
【００４３】
ベルト接触量調整部材２０は、水平面と平行な上面を有するカバー部２４を有し、そのカバー部２４が、搬送ベルト６３の前後方向の中間位置から後端に亘る範囲を上方から覆うようになっている。なお、詳細には、カバー部２４は、水平な板状をなしている。
【００４４】
図６に示すように、カバー部２４には、前後方向に延びた第１ガイド長孔２０Ａが貫通形成されている。そして、この第１ガイド長孔２０Ａと上面プレート９３のベース長孔９３Ａとを重ねた状態で、第１ガイド長孔２０Ａ及びベース長孔９３Ａを貫通したボルトＢにナットＮを締め付けることにより、ベルト接触量調整部材２０が上面プレート９３に固定されている。ベルト接触量調整部材２０は、ボルトＢを緩めると、第１ガイド長孔２０Ａ及びベース長孔９３Ａに沿って前後方向の位置を変更可能になっている。なお、カバー部２４と搬送ベルト６３との間には、僅かな隙間が形成され、カバー部２４が搬送ベルト６３と接触しないようになっている（図５Ｃ参照）。
【００４５】
詳細には、ベルト接触量調整部材２０のカバー部２４は、傾斜ガイド部材７３の取付板７５と上面プレート９３との間に挟まれ、上面プレート９３のベース長孔９３Ａと、ベルト接触量調整部材２０の第１ガイド長孔２０Ａと、取付板７５の第２ガイド長孔７５Ａとを重ねた状態で、ボルトＢとナットＮを螺合して取付板７５と上面プレート９３を固定することにより、上面プレート９３に固定されている。
【００４６】
また、図４に示すように、カバー部２４の下面には、前後方向に延びた係合突部２１，２１（図４には、一方のみが示されている）が設けられている。係合突部２１，２１は、上面プレート９３の前端部から後方に向かって形成されたスリット９３Ｓ，９３Ｓ（図３参照）と係合し、ベルト接触量調整部材２０の幅方向（図３の上下方向）の移動を規制している。
【００４７】
なお、ここで、本実施形態では、第１ガイド長孔２０Ａが本発明の「第１ガイド」に相当し、第２ガイド長孔が「第２ガイド」に相当する。また、ボルトＢとナットＮとによって、本発明の「第１固定部」及び「第２固定部」が構成されている。そして、第２ガイド長孔７５Ａと、ボルトＢと、ナットＮとで、本発明の傾斜ガイド部材可変支持機構７６が構成され、第１ガイド長孔２０Ａと、ボルトＢと、ナットＮとで、本発明のベルト接触量調整機構２６が構成されている。
【００４８】
図１に示すように、ベルト接触量調整部材２０は、カバー部２４の前端から突出した引き渡し突片２５を複数備えている。図３に示すように、引き渡し突片２５と搬送ベルト６３とは、交互に横並びに配置され、引き渡し突片２５の前端部が搬送ベルト６３の回転接触面６３Ｍより下方に配置されている。そして、複数の引き渡し突片２５と複数の搬送ベルト６３とによって、本発明の引き渡し部２７（図４参照）が形成されている。
【００４９】
図４に示すように、引き渡し突片２５は、カバー部２４の前端から前下がりに傾斜した傾斜部２５Ａと、傾斜部２５Ａの前端から前方に延びた直線部２５Ｂとで構成され、傾斜部２５Ａの後端部の上面が搬送ベルト６３の回転接触面６３Ｍより上方に位置して、傾斜部２５Ａの前端部の上面が回転接触面６３Ｍより下方に位置している。そして、引き渡し突片２５の上面のうち搬送ベルト６３の回転接触面６３Ｍより上側に配置された部分によって本発明の引き渡し傾斜面２５Ｍが構成され、カバー部２４の上面によって本発明のカット紙メイン支持面２４Ｍが構成されている。なお、詳細には、傾斜部２５Ａの上面は、前方に向かうに従って下方へ向かうように湾曲している。
【００５０】
次に、カット紙送給装置１０の作用効果について説明する。カット紙送給装置１０の使用にあたっては、まず、ベルト接触量調整部材２０及び傾斜ガイド部材７３の前後位置を調整し、送給するカット紙Ｓをストック部７０に積層させてセットする。図５Ａには、ベルト接触量調整部材２０のカバー部２４の前端が、カット紙群Ｇの後端寄り位置に配置されている場合が示されている。このとき、カット紙群Ｇの下端部の後端は、傾斜ガイド部材７３の傾斜ガイド面７３Ｍに支持され、カット紙群Ｇの下端部に位置するカット紙Ｓが下方に行くほど前方にずらされるようになっている。また、カット紙群Ｇのうち傾斜ガイド部材７３によって支持された部分より前側部分は、ベルト接触量調整部材２０によって支持され、カット紙群Ｇのうちベルト接触量調整部材２０によって支持された部分よりさらに前側部分が搬送ベルト６３と接触している。
【００５１】
カット紙Ｓのセット後、搬送ベルト６３を回転駆動させると、その搬送ベルト６３の回転接触面６３Ｍとカット紙群Ｇの最下部に位置する第１のカット紙Ｓ１の下面とが摩擦接触して、第１のカット紙Ｓ１がカット紙排出口７２を介してストック部７０から前方に移動する。
【００５２】
このとき、ベルト接触量調整部材２０の上面のうち搬送ベルト６３の回転接触面６３Ｍより上側に位置する部分の前端部、即ち、引き渡し傾斜面２５Ｍが前下がりに傾斜しているので、カット紙群Ｇからカット紙Ｓを抜き出すときに、ベルト接触量調整部材２０によって支持されていたカット紙Ｓの後側部分を搬送ベルト６３へとスムーズに引き渡すことが可能になる。また、カット紙Ｓの引き渡し部分で、引き渡し突片２５の上面と回転接触面６３Ｍとの間に段差がないので、カット紙群Ｇの最下部に位置するカット紙Ｓに折り目が付くことが抑えられる。
【００５３】
第１のカット紙Ｓ１が前方に移動すると、第１のカット紙Ｓ１の１つ上方に位置する第２のカット紙Ｓ２の後端部の下面が露出し、第２のカット紙Ｓ２の下面が搬送ベルト６３の回転接触面６３Ｍと接触する。第１のカット紙Ｓ１の移動に伴って、第２のカット紙Ｓ２と搬送ベルト６３との接触面積が大きくなると、第２のカット紙Ｓ２が搬送ベルト６３から受ける動摩擦力が大きくなる。そして、第１のカット紙Ｓ１がカット紙群Ｇから完全に抜き出されたときに、第２のカット紙Ｓ２が搬送ベルト６３から受ける動摩擦力が、第２のカット紙Ｓ２と第２のカット紙の上にある第３のカット紙Ｓ３との間の静止摩擦力よりも大きくなり、第２のカット紙Ｓ２の送給が開始される。これにより、カット紙群Ｇの下端側からカット紙Ｓが順次に前方へ送給される。
【００５４】
ここで、例えば、カット紙Ｓの摩擦係数が大きい場合には、第１のカット紙Ｓ１がカット紙群Ｇから完全に抜き出される前に、第２のカット紙Ｓ２が搬送ベルト６３から受ける動摩擦力が、第２のカット紙Ｓ２と第３のカット紙Ｓ３との間の静止摩擦力よりも大きくなって、第２のカット紙Ｓ２の送給が開始するという事態が起こり得る（図５Ｂ参照）。このような場合には、図５Ａから図５Ｃの変化に示すように、ベルト接触量調整部材２０だけを前方にスライドさせる。このとき、カット紙離間部材２０の係合突部２１が上面プレート９３のスリット９３Ｓと係合しているので、ベルト接触量調整部材２０の移動が安定する。
【００５５】
図５Ｃに示すように、ベルト接触量調整部材２０が前方へ配置されると、搬送ベルト６３との摩擦接触により第１のカット紙Ｓ１が前方へ移動したときに、第２のカット紙Ｓ２の下面の後端部と搬送ベルト６３との接触がベルト接触量調整部材２０によって防がれ、第２のカット紙Ｓ２と搬送ベルト６３との接触面積が図５Ｂに示した場合よりも小さくなる（図５Ｄ参照）。これにより、第２のカット紙Ｓ２と搬送ベルト６３との間に働く動摩擦力を小さくすることができ、第１のカット紙Ｓ１がカット紙群Ｇから完全に抜き出されたときに、第２のカット紙Ｓ２の送給を開始することができる。即ち、カット紙Ｓの部分重送を解消することができる。
【００５６】
なお、ここで、ベルト接触量調整部材２０のうち引き渡し突片２５の後端に連絡したカバー部２４の上面（カット紙メイン支持面２４Ｍ）は、水平になっていて、傾斜ガイド部材７３のガイド面７３Ｍよりも水平面からの傾斜角が小さい。これにより、傾斜ガイド部材７３を移動させて接触面積を変更した場合に比べて、カット紙群Ｇの後側が持ち上げられることが抑えられ、ベルト接触量調整部材２０をカット紙Ｓの部分重送を解消できる位置に容易に調整することできる。
【００５７】
ストック部７０から抜き出されたカット紙Ｓは、重送規制部材３０と搬送ベルト６３との間に入り込み、重送規制部材３０を上方に押し上げながら通過し、下流搬送ベルト８３によってさらに前方へ送給される。ここで、下流搬送ベルト８３の搬送速度は、搬送ベルト６３の搬送速度よりも大きくすることができるので、仮に、カット紙群Ｇから引き出された時点でカット紙Ｓ同士が部分的に重なっていても、その重なりを解消することができる。
【００５８】
このように、本実施形態のカット紙送給装置１０では、ベルト接触量調整機構２６によって、カット紙送給方向におけるベルト接触量調整部材２０の位置を変更して搬送ベルト６３とカット紙群Ｇとの接触面積を調整することができるので、部分重送を防ぐか、防げなくてもカット紙Ｓ同士の重なり量を抑えて、後処理でカット紙Ｓ同士の重なりを解消可能な状態にすることが可能になり、部分重送の発生を従来より低減させることができる。また、傾斜ガイド部材７３によってカット紙群Ｇの下端部に位置するカット紙Ｓを前方にずれるようにばらけさせて、部分重送の発生低減を補助することができる。しかも、傾斜ガイド部材７３は、傾斜ガイド部材可変支持機構７６によって、カット紙送給方向の位置を変更可能となっているので、カット紙Ｓのサイズ変更に対応することができる。さらに、本実施形態では、ベルト接触量調整部材２０と傾斜ガイド部材７３とが別個に位置変更可能であるので、カット紙Ｓのサイズに応じた傾斜ガイド部材７３の位置を固定したまま、カット紙Ｓと搬送ベルト６３の接触面積を変更することができる。
【００５９】
［第２実施形態］
以下、本発明の第２実施形態を、図７〜図１０を用いて説明する。図７に示すように、本実施形態のカット紙送給装置１０Ｗは、主として、ベルト接触量調整部材２０Ｗの構成が、第１実施形態のベルト接触量調整部材２０と異なっている。具体的には、ベルト接触量調整部材２０Ｗは、全体の上面が前下がりに傾斜した平坦面になっている。
【００６０】
図７及び図８に示すように、ベルト接触量調整部材２０Ｗは、隣り合う搬送ベルト６３，６３の間に配置された複数の引き渡し突片２５Ｗと、それら複数の引き渡し突片２５Ｗの後端に連絡したカバー部２４Ｗとを備えている。カバー部２４Ｗの後端部には、スリット２４ＷＳが複数形成され、傾斜ガイド部材７３Ｗの三角板７４がスリット２４ＷＳ内を前後方向に移動可能になっている。なお、カバー部２４Ｗの上面は、本発明のカット紙群メイン支持面２４ＷＭになっていて、側方から見ると、傾斜ガイド部材７３Ｗのガイド面７３ＷＭがカット紙群メイン支持面２４ＷＭよりも上方に突出している（図１０参照）。
【００６１】
図１０に示すように、引き渡し突片２５Ｗは、後端部の上面が回転接触面６３Ｍより上方に位置し、前端部の上面が回転接触面６３Ｍより下方に位置している。なお、引き渡し突片２５Ｗの上面のうち搬送ベルト６３より上側に位置する部分が、本発明の引き渡し傾斜面２５ＷＭになっている。また、複数の引き渡し突片２５Ｗと複数の搬送ベルト６３とから本発明の引き渡し部２７Ｗが形成されている。
【００６２】
また、図７に示すように、カバー部２４Ｗの両側部には、ベルト接触量調整部材２０Ｗを上面プレート９３に固定するためブラケット２３，２３が備えられている。ブラケット２３は、前後方向からみた形状がＬ字状になっていて、その底板２３Ｔは、傾斜ガイド部材７３Ｗの取付板７５Ｗに重ねられている。
【００６３】
図９に示すように、ブラケット２３の底板２３Ｔには、前後方向に延びた第１ガイド長孔２０ＷＡが形成されている。また、傾斜ガイド部材７３Ｗの取付板７５Ｗにも、前後方向に延びた第２ガイド長孔７５ＷＡが貫通形成されている。そして、第１ガイド長孔２０ＷＡと第２ガイド長孔７５ＷＡを重ねた状態で、第１ガイド長孔２０ＷＡ及び第２ガイド長孔７５ＷＡを貫通したボルトＢが上面プレート９３に形成された螺旋孔９３Ｎと螺合することにより、ベルト接触量調整部材２０Ｗ及び傾斜ガイド部材９３Ｗが上面プレート９３に固定されている。
【００６４】
そして、ボルトＢを緩めて傾斜ガイド部材７３Ｗを第２ガイド長孔７５ＷＡに沿って移動させることで、カット紙Ｓの寸法に応じて、傾斜ガイド部材７３Ｗの位置を前後方向で選択的に調節することが可能となっている。即ち、本実施形態では、第２ガイド長孔７５ＷＡが本発明の「第２ガイド」に相当し、ボルトＢと螺旋孔９３Ｎとによって本発明の「第２固定部」が構成されている。そして、第２ガイド長孔７５ＷＡと、ボルトＢと、螺旋孔９３Ｎとによって、本発明の傾斜ガイド部材可変支持機構７６Ｗが構成されている。
【００６５】
また、ボルトＢを緩めてベルト接触量調整部材２０Ｗを第１ガイド長孔２０ＷＡに沿って移動させると、傾斜ガイド部材７３Ｗとは別個に、ベルト接触量調整部材２０Ｗの前後位置を調整することが可能となっている。即ち、本実施形態では、第１ガイド長孔２０ＷＡが本発明の「第１ガイド」に相当し、ボルトＢと螺旋孔９３Ｎとによって本発明の「第２固定部」が構成されている。そして、第１ガイド長孔２０Ａと、ボルトＢと、螺旋孔９３Ｎとによって、本発明のベルト接触量調整機構２６Ｗが構成されている。
【００６６】
ベルト接触量調整部材２０Ｗに関する説明は以上である。また、カット紙送給装置１０Ｗにおけるその他の部分の構成については、上記第１実施形態のカット紙送給装置１０の構成と同様となっているので、同一符号を付すことで説明を省略する。本実施形態のカット紙送給装置１０Ｗによれば、上記第１実施形態と同様の効果を奏することができる。
【００６７】
［第３実施形態］
以下、本発明の第３実施形態を、図１１〜図１３を用いて説明する。図１１に示すように、本実施形態のカット紙送給装置１０Ｘは、主として、ベルト接触量調整部材２０Ｘの構成が第２実施形態のベルト接触量調整部材２０Ｗと異なっている。
【００６８】
ベルト接触量調整部材２０Ｘは、前後方向に長くなった帯状部材４０を複数横並びに備え、それら帯状部材４０が、前後方向の中間位置で連結シャフト４１にて連結された構成になっている。図１２に示すように、搬送ベルト６３と帯状部材４０とは、交互に配置されている。また、カット紙送給装置１０Ｘは、上記第２実施形態の傾斜ガイド部材７３Ｗを有し、帯状部材４０の後側部分は、傾斜ガイド部材７３Ｗの隣り合う三角板７４の間に配置されている。なお、傾斜ガイド部材７３Ｗは、第２実施形態で説明した傾斜ガイド部材可変支持機構７６Ｗによって、任意の前後位置に固定可能となっている。
【００６９】
図１３に示すように、帯状部材４０は、上面全体が前下がりに傾斜した平坦面になっていて、帯状部材４０の上面の後端が搬送ベルト６３の回転接触面６３Ｍより上方に配置される一方、その前端が回転接触面より下方に配置されている。また、帯状部材４０は、後側部分が台形状のブロックで構成される一方、前側部分が前下がりに傾斜した板状の引き渡し突片２５Ｘになっている。そして、引き渡し突片２５Ｘの上面のうち回転接触面６３Ｍより上側に位置する部分が、本発明の引き渡し傾斜面２５ＸＭを構成し、帯状部材４０の上面のうち引き渡し傾斜面２５ＸＭより後側部分がカット紙メイン支持面２４ＸＭを構成している。また、複数の引き渡し突片２５Ｘと複数の搬送ベルト６３とから本発明の引き渡し部２７Ｘが形成されている。
【００７０】
また、図１１に示すように、搬送ベルト６３の幅方向における外側の帯状部材４０，４０には、帯状部材４０を上面プレート９３に固定するためのブラケット４２，４２が備えられている。このブラケット４２は、上記第２実施形態のブラケット２３と同様の構成になっていて、ベルト接触量調整部材２０Ｘは、第２実施形態で説明したベルト接触量調整機構２６Ｗを備えている。
【００７１】
ベルト接触量調整部材２０Ｘに関する説明は以上である。カット紙送給装置１０Ｘのその他の構成については、第２実施形態のカット紙送給装置１０Ｗと同じになっているので、同一符号を付すことで説明を省略する。本実施形態のカット紙送給装置１０Ｘによれば、上記第１及び第２実施形態と同様の効果を奏することができる。
【００７２】
［第４実施形態］
本実施形態は、上記第１実施形態のベルト接触量調整部材２０を変形したものである。図１４に示すように、本実施形態のベルト接触量調整部材２０Ｙは、水平な板の前端部を変形させた構造になっていて、前端部の上面に、前下がりに傾斜した引き渡し傾斜面２５ＹＭが形成されている。また、ベルト接触量調整部材２０Ｙの上面のうち、引き渡し傾斜面２５ＹＭより後側の部分が、カット紙メイン支持面２４ＹＭになっている。なお、詳細には、引き渡し傾斜面２５ＹＭは、側方からみた形状が、前方へ向かうにつれて下方へ向かうように湾曲した楕円状になっている。本実施形態によれば、上記第１実施形態と同様の効果を奏することができる。
【００７３】
［他の実施形態］
本発明は、実施形態に限定されるものではなく、例えば、以下に説明するような実施形態も本発明の技術的範囲に含まれ、さらに、下記以外にも要旨を逸脱しない範囲内で種々変更して実施することができる。
【００７４】
（１）上記第１及び第４実施形態では、カット紙メイン支持面２４Ｍが水平になっていたが、引き渡し傾斜面２５Ｍよりも小さな角度で水平面に対して前下がりに傾斜していてもよい。
【００７５】
（２）上記第１〜第３実施形態では、本発明の「引き渡し部」が、搬送ベルトと引き渡し突片を複数備えて、それらを交互に配置してなる構成であったが、搬送ベルトを１対だけ備えて、それら１対の搬送ベルトの間に引き渡し突片を配置してなる構成であってもよいし、引き渡し突片を１対だけ備えて、それら１対の引き渡し突片の間に搬送ベルトを配置してなる構成であってもよい。
【００７６】
（３）上記第３実施形態の帯状部材４０の代わりに、前下がりに傾斜した板状部材を用いた構成であってもよい。
【００７７】
（４）上記第４実施形態の引き渡し傾斜面２５ＹＭの形状は、図１４に示したものに限定されるものではなく、例えば、図１５Ａ〜図１５Ｃに示した引き渡し傾斜面２５ＹＪ，２５ＹＫ，２５ＹＬのようにしてもよい。
【００７８】
（５）上記実施形態では、搬送ベルト６３と下流搬送ベルト８３を同じ駆動源で駆動していたが、それぞれを別々の駆動源で駆動させてもよい。
【００７９】
（６）上記実施形態では、上面プレート９３及び搬送ベルト６３の回転接触面６３Ｍが水平に配置されていたが、水平面に対して前方に下るように傾斜していてもよい。また、その際、カット紙メイン支持面を回転接触面６３Ｍと平行となるようにしてもよい。
【００８０】
（７）上記第１〜第４実施形態において、上記第１実施形態で説明したベルト接触量調整機構２６及び傾斜ガイド部材可変支持機構７６と、上記第２実施形態で説明したベルト接触量調整機構２６Ｗ及び傾斜ガイド部材可変支持機構７６Ｗとを相互に入れ替えてもよい。
【００８１】
（８）ランクアンドピニオン機構によって本発明の「ベルト接触量調整機構」を構成してもよい。具体的には、図１６に示すように、ベルト接触量調整部材２０に前後方向に延びたラック１２０Ａ（本発明の「第１ガイド」に相当する）を形成する共に、そのラック１２０Ａと噛合するピニオン１２０Ｂ（本発明の「第１固定部」に相当する。）を上面プレート９３に設けた構成であってもよい。また、ボール螺子機構によって本発明の「ベルト接触量調整機構」を構成してもよい。具体的には、図１７に示すように、前後方向に延びたボール螺子１２１Ａ（本発明の「第１ガイド」に相当する）を設けると共に、そのボール螺子１２１Ａと螺合するボールナット１２１Ｂ（本発明の「第１固定部」に相当する）をベルト接触量調整部材２０に設けた構成であってもよい。なお、ラックアンドピニオン機構及びボール螺子機構を、傾斜ガイド部材可変支持機構に適用してもよい。
【００８２】
（９）本発明の「ベルト接触量調整機構」及び「傾斜ガイド部材可変支持機構」として、磁石を用いてもよい。具体的には、上記第１実施形態の例において、ベルト接触量調整部材２０の下面と上面プレート９３、ベルト接触量調整部材２０の上面と傾斜ガイド部材７３を、磁石で結合可能な構成とし、ベルト接触量調整部材２０、傾斜ガイド部材７３を前後方向の任意の位置で固定可能としてもよい。
【００８３】
（１０）図１８Ａに示すように、上面プレート９３の上面に前後に延びた第１ガイドレール１２２Ａ（本発明の「第１ガイド」に相当する）と、ベルト接触量調整部材２０と一体に移動し、第１ガイドレール１２２Ａに沿った任意の位置で固定可能な第１スライド部材１２２Ｂを備えた構成としてもよい。具体的には、図１８Ｂに示すように、第１スライド部材には、第１ガイドレール１２２Ａに形成された第１係止部１２２Ｅと係止する係止位置、その係止が解除された第１解除位置との間を往復動可能な第１係止爪１２２Ｃと、第１係止爪１２２Ｃを第１係止位置に付勢する第１バネ１２２Ｄを備えている。また、上面プレート９３の上面に形成されて前後方向に延びた第２ガイドレール１２３Ｂ（本発明の「第２ガイド」に相当する）と、傾斜ガイド部材７３と一体に移動し、第２ガイドレール１２３Ａに沿った任意の位置で固定可能な第２スライド部材１２３Ｂ（本発明の「第２固定部」に相当する）とによって、本発明の「傾斜ガイド部材可変支持機構」を構成してもよい。なお、第２ガイドレール１２３Ａ及び第２スライド部材１２３Ｂは、第１ガイドレール１２２Ａ及び第１スライド部材１２２Ｂと同様の構成になっている。
【００８４】
（１１）図１９に示すように、上面プレート９３の上面に前後方向に並べて形成された第１位置決め孔１２５Ａと、ベルト接触量調整部材２０を貫通して第１位置決め孔１２５Ａと係合する第１位置決めピン１２５Ｂとによって、本発明の「ベルト接触量調整機構」が構成されてもよい。また、同様に、上面プレート９３の上面に前後方向に並べて形成された第２位置決め孔１２６Ａと、傾斜ガイド部材７３と一体に移動するブラケット１２７を貫通して第２位置決め孔１２６Ａと係合する第２位置決めピン１２６Ｂとによって、本発明の「傾斜ガイド部材可変支持機構」が構成されてもよい。
【００８５】
（１２）図２０に示すように、ベルト接触量調整部材２０に、先端が外側に付勢された弾性片１２８Ｃ（本発明の「第１バネ」に相当する）を設けると共に、その弾性片１２８Ｃの先端に外側に突出した第１係止爪１２８Ａを形成し、上面プレート９３に、第１係止爪１２８Ａと係合可能な第１係止部１２８Ｂを前後方向に複数並べて備えて、ベルト接触量調整機構を構成してもよい。なお、このベルト接触量調整機構の構成を、傾斜ガイド部材可変支持機構に適用してもよい。
【００８６】
（１３）本発明の「ベルト接触量調整機構」及び「傾斜ガイド部材可変支持機構」として、クランプを用いてもよい。即ち、図２１に示すように、ベルト接触量調整部材２０と、傾斜ガイド部材７３の取付板７５と、上面プレート９３とを、クランプ１３０で挟み、このクランプ１３０によってベルト接触量調整部材２０、傾斜ガイド部材７３を前後方向の任意の位置で固定可能としてもよい。
【符号の説明】
【００８７】
１０，１０Ｗ，１０Ｘ    カット紙送給装置
２０，２０Ｗ，２０Ｘ，２０Ｙ    ベルト接触量調整部材
２０Ａ，２０ＷＡ    第１ガイド長孔（第１ガイド）
２４，２４Ｗ    カバー部
２４Ｍ，２４ＷＭ，２４ＸＭ，２４ＹＭ    カット紙メイン支持面
２５，２５Ｗ，２５Ｘ    引き渡し突片
２５Ｍ，２５ＷＭ，２５ＸＭ，２５ＹＭ，２５ＹＪ，２５ＹＫ，２５ＹＬ    引き渡し傾斜面
２６，２６Ｗ    ベルト接触量調整機構
２７    引き渡し部
６３    搬送ベルト
６３Ｍ    回転接触面
７３，７３Ｗ    傾斜ガイド部材
７３Ｍ，７３ＷＭ    ガイド面
７５Ａ，７５ＷＡ    第２ガイド長孔（第２ガイド）
７６，７６Ｗ    傾斜ガイド部材可変支持機構
Ｂ    ボルト（第１固定部、第２固定部）
Ｇ    カット紙群
Ｎ    ナット（第１固定部、第２固定部）
Ｓ    カット紙
【図１】
0005377677.tif 000002
【図２】
0005377677.tif 000003
【図３】
0005377677.tif 000004
【図４】
0005377677.tif 000005
【図５Ａ】
0005377677.tif 000006
【図５Ｂ】
0005377677.tif 000007
【図５Ｃ】
0005377677.tif 000008
【図５Ｄ】
0005377677.tif 000009
【図６】
0005377677.tif 000010
【図７】
0005377677.tif 000011
【図８】
0005377677.tif 000012
【図９】
0005377677.tif 000013
【図１０】
0005377677.tif 000014
【図１１】
0005377677.tif 000015
【図１２】
0005377677.tif 000016
【図１３】
0005377677.tif 000017
【図１４】
0005377677.tif 000018
【図１５Ａ】
0005377677.tif 000019
【図１５Ｂ】
0005377677.tif 000020
【図１５Ｃ】
0005377677.tif 000021
【図１６】
0005377677.tif 000022
【図１７】
0005377677.tif 000023
【図１８Ａ】
0005377677.tif 000024
【図１８Ｂ】
0005377677.tif 000025
【図１９】
0005377677.tif 000026
【図２０】
0005377677.tif 000027
【図２１】
0005377677.tif 000028